(57)【要約】【課題】  ガタつきを解消すると同時に、本来、マニュアル操作に要求される良好な操作フィーリング及び高い操作精度を確保するとともに、ガタ防止手段に係わる構成全体のサイズダウン及びコストダウンを図る。【解決手段】  規制ガイド機構部７（８）を、固定側枠体３ａ（３ｂ）又は可動側枠体６の一方に設けた光軸方向Ｆｃのガイドチャンネル部７ｇ（８ｇ）と他方に設けてガイドチャンネル部７ｇ（８ｇ）に係合させた被ガイド部７ｓ（８ｓ）により構成してなるレンズであって、被ガイド部７ｓ（８ｓ）を、所定の弾性を有する素材によりＵ形に形成するとともに、ガイドチャンネル部７ｇ（８ｇ）の内壁７ｇｉ，７ｇｊ（８ｇｉ，８ｇｊ）に当接する部位に、当該ガイドチャンネル部７ｇ（８ｇ）の長手方向Ｆｓに所定の幅寸法Ｗｓで接触する当接部７ｓｉ，７ｓｊ（８ｓｉ，８ｓｊ）を形成する。【選択図】  図１
2014089222.tif 000002
【特許請求の範囲】
【請求項１】
レンズ鏡筒を構成する固定側枠体と回動側枠体がヘリコイドネジ部を介して同軸上で結合し、かつ前記回動側枠体の相対変位に追従して前記レンズ鏡筒の光軸方向に相対変位する可動側枠体を同軸上に配するとともに、前記固定側枠体と前記可動側枠体を、前記光軸方向に相対変位し、かつ前記レンズ鏡筒の周方向に相対規制される少なくとも二以上の位置に設けた規制ガイド機構部を介して同軸上で結合する構成を具備し、前記規制ガイド機構部を、前記固定側枠体又は前記可動側枠体の一方に設けた前記光軸方向のガイドチャンネル部と他方に設けて前記ガイドチャンネル部に係合させた被ガイド部により構成してなるマニュアル操作レンズであって、前記被ガイド部を、所定の弾性を有する素材によりＵ形に形成するとともに、前記ガイドチャンネル部の内壁に当接する部位に、当該ガイドチャンネル部の長手方向に所定の幅寸法で接触する当接部を形成してなることを特徴とするマニュアル操作レンズ。
【請求項２】
前記被ガイド部は、前記ガイドチャンネル部に係合する被ガイド本体部及びこの被ガイド本体部から直角方向となる前記レンズ鏡筒の径方向に延出した被ガイド取付部により構成し、この被ガイド取付部を、前記固定側枠体又は前記可動側枠体の他方に対して前記光軸方向から固定ネジにより取付可能にすることを特徴とする請求項１記載のマニュアル操作レンズ。
【請求項３】
前記被ガイド部は、前記ガイドチャンネル部に係合する被ガイド本体部及びこの被ガイド本体部から前記光軸方向に延出した被ガイド取付部により構成し、この被ガイド取付部を、前記固定側枠体又は前記可動側枠体の他方に対して前記径方向から固定ネジにより取付可能にすることを特徴とする請求項２記載のマニュアル操作レンズ。
【請求項４】
前記レンズ鏡筒は、前記被ガイド取付部を覆う一又は二以上の枠部材に、当該被ガイド取付部及びこの被ガイド取付部を固定する固定ネジを外側から操作可能な調整用開口部を設けてなることを特徴とする請求項３記載のマニュアル操作レンズ。
【請求項５】
前記回動側枠体には、マニュアル操作によりフォーカス調整を行うフォーカスリングを含ませることを特徴とする請求項１〜４のいずれかに記載のマニュアル操作レンズ。
【請求項６】
単焦点レンズに適用することを特徴とする請求項１〜５のいずれかに記載のマニュアル操作レンズ。
【発明の詳細な説明】
【技術分野】
【０００１】
本発明は、マニュアルで操作する単焦点レンズ等に用いて好適なマニュアル操作レンズに関する。
【背景技術】
【０００２】
一般に、マニュアル操作レンズにおいて、フォーカスリング等をマニュアル操作する際の操作フィーリングを高めることは、フィーリング性の向上のみならず正確で迅速なフォーカシングを確保する上で重要であり、特に、フォーカスリング等の周方向における無用なガタつきを排除することは最も重要な課題の一つとなる。
【０００３】
従来、フォーカスリング等の操作時のガタつきを防止するガタ防止手段を付設して操作精度を高めたレンズ鏡筒としては特許文献１〜４で開示されるレンズ鏡筒等が知られている。特許文献１で開示されるレンズ鏡筒は、強度が充分で操作感のよい高精度のレンズ鏡筒を得ることを目的としたものであり、光軸を中心として同心状に嵌合させ、固定鏡筒本体に対して回動可能に支持させた直径の異なる２つの可動筒と、この両可動筒に相対的に凹凸係合するように設けた第１、第２の連動板と、そのいずれか一方の連動板を回動可能に構成して、係合時、回動させて係合ガタを除去した位置に該連動板を前記可動筒に固定する固定部材とを備えている。
【０００４】
また、特許文献２で開示されるレンズ鏡筒は、複雑な機構を用いることなく、カム筒に対するレンズ保持枠の嵌合精度を向上させることを目的としたものであり、カム筒と、レンズ保持枠とを有し、レンズ保持枠には、カム溝に挿入されるカムフォロワーおよび弾性部材が設けられ、弾性部材は、僅かに変形した状態でカム溝内に挿入され、弾性部材の先端部は、斜面である壁面に対して力を与えるとともに、この力は、径方向の力と、これに垂直な力との分解され、レンズ保持枠本体の外周面と、カム筒の内周面との隙間については、この分力の作用によって一定に保たれ、かつカムフォロワーの側面と、カム溝の壁面との隙間については、分力の作用によって一定に保たれるようにしている。
【０００５】
また、特許文献３に開示される鏡筒装置は、複数のレンズ群を有する鏡筒装置において、高精度の組み付けを可能にすることを目的としたものであり、鏡筒装置であるズームレンズ鏡筒は、進退可能な各レンズ群をそれぞれ保持し、互いに嵌合状態にある第１群枠と第２群枠と第３群枠を内蔵し、第１レンズ群を保持する第１群枠と第２群レンズを保持する第２群枠と、第２群枠と第３群レンズを保持する第３群枠とは、それぞれ回転規制された状態（直進状態）で内周面と外周面を嵌合させて組み込まれ、その取り付け状態において、舌片部の弾性変形力により両枠部材を光軸と直交する方向に相対的に片寄せすることにより嵌合ガタを取り除いている。
【０００６】
さらに、特許文献４に開示されるレンズ鏡筒は、作動力量を低い値とし、かつ、その変動を抑えるとともに、直進移動筒を精度よく移動させることを目的としたものであり、カムピンを有し、直進ガイド係合部を有する移動筒と、カムピンに係合するカム溝及びガタ寄せ部を有するカム部材と、移動筒に保持されて移動筒とともに移動する部材であって、カム部材のガタ寄せ部に係合するガタ寄せ部材と、直進ガイド係合部に係合する直進ガイド部を有する直進ガイド部材と、移動筒とガタ寄せ部材とを直進移動部材の移動方向に付勢する弾性部材、をレンズ鏡筒に備えている。
【先行技術文献】
【特許文献】
【０００７】
【特許文献１】特開平０５−２６４８７７号公報
【特許文献２】特開平１０−６２６７０号公報
【特許文献３】特開２００２−９０６１０号公報
【特許文献４】特開２００５−７７９３５号公報
【発明の概要】
【発明が解決しようとする課題】
【０００８】
しかし、上述した特許文献１〜４のレンズ鏡筒等をはじめ、ガタ防止手段を付設した従来のマニュアル操作レンズは次のような問題点があった。
【０００９】
第一に、ガタ防止手段を組付けた後は、その調整が困難か或いは容易に行うことができない。したがって、ガタつきを解消できたとしても、良好な操作フィーリング（操作性）や高い操作精度を確保できるか否かは保障されない。このように、従来のマニュアル操作レンズは、ガタつきを解消するとともに、本来、マニュアル操作に要求される良好な操作フィーリング及び高い操作精度を確保するという二つの課題を同時に解決する観点からは必ずしも十分であるとは言えず、基本構造を含めたガタ防止手段の更なる改善の余地があった。
【００１０】
第二に、構成をできるだけ簡略化して部品点数を削減するとともに、組立性をより高める観点、更には精密部品の使用をできるだけ少なくして、部品コストを削減する観点などからも更なる改善の余地があった。即ち、従来のマニュアル操作レンズは、複数の部品を組合わせたり、或いは部品の寸法精度に依存させるなどにより、ガタつき防止を図っていたため、結果的に、ガタ防止手段の構成全体のサイズアップ及びコストアップを招く原因となっていた。
【００１１】
本発明は、このような背景技術に存在する課題を解決したマニュアル操作レンズの提供を目的とするものである。
【課題を解決するための手段】
【００１２】
本発明に係るマニュアル操作レンズ１は、上述した課題を解決するため、レンズ鏡筒２を構成する固定側枠体３ａ（３ｂ）と回動側枠体４がヘリコイドネジ部５ａ（５ｂ）を介して同軸上で結合し、かつ回動側枠体４の相対変位に追従してレンズ鏡筒２の光軸方向Ｆｃに相対変位する可動側枠体６を同軸上に配するとともに、固定側枠体３ａ（３ｂ）と可動側枠体６を、光軸方向Ｆｃに相対変位し、かつレンズ鏡筒２の周方向Ｆｆに相対規制される少なくとも二以上の位置に設けた規制ガイド機構部７…（８…）を介して同軸上で結合する構成を具備し、規制ガイド機構部７（８）を、固定側枠体３ａ（３ｂ）又は可動側枠体６の一方に設けた光軸方向Ｆｃのガイドチャンネル部７ｇ（８ｇ）と他方に設けてガイドチャンネル部７ｇ（８ｇ）に係合させた被ガイド部７ｓ（８ｓ）により構成してなるレンズであって、被ガイド部７ｓ（８ｓ）を、所定の弾性を有する素材によりＵ形に形成するとともに、ガイドチャンネル部７ｇ（８ｇ）の内壁７ｇｉ，７ｇｊ（８ｇｉ，８ｇｊ）に当接する部位に、当該ガイドチャンネル部７ｇ（８ｇ）の長手方向Ｆｓに所定の幅寸法Ｗｓで接触する当接部７ｓｉ，７ｓｊ（８ｓｉ，８ｓｊ）を形成してなることを特徴とする。
【００１３】
この場合、発明の好適な態様により、被ガイド部（７ｓ，８ｓ）を、ガイドチャンネル部７ｇに係合する被ガイド本体部７ｓｍ及びこの被ガイド本体部７ｓｍから直角方向となるレンズ鏡筒２の径方向Ｆｄに延出した被ガイド取付部７ｓｖにより構成し、この被ガイド取付部７ｓｖを、固定側枠体３ａ又は可動側枠体６の他方に対して光軸方向Ｆｃから固定ネジＮ…により取付可能にしてもよいし、或いはガイドチャンネル部８ｇに係合する被ガイド本体部８ｓｍ及びこの被ガイド本体部８ｓｍから光軸方向Ｆｃに延出した被ガイド取付部８ｓｈにより構成し、この被ガイド取付部８ｓｈを、固定側枠体３ｂ又は可動側枠体６の他方に対して径方向Ｆｄから固定ネジＮ…により取付可能にしてもよい。この際、レンズ鏡筒２における被ガイド取付部８ｓｈを覆う一又は二以上の枠部材９，１０には、当該被ガイド取付部８ｓｈ及びこの被ガイド取付部８ｓｈを固定する固定ネジＮ…を外側から操作可能な調整用開口部９ｈ，１０ｈを設けることができる。また、回動側枠体４には、マニュアル操作によりフォーカス調整を行うフォーカスリング４ｒを含ませることができる。なお、本発明に係るマニュアル操作レンズ１は、単焦点レンズ１ｓに適用することが望ましい。
【発明の効果】
【００１４】
このような構成を有する本発明に係るマニュアル操作レンズ１によれば、次のような顕著な効果を奏する。
【００１５】
（１）  固定側枠体３ａ（３ｂ）又は可動側枠体６の一方に設けた光軸方向Ｆｃのガイドチャンネル部７ｇ（８ｇ）と他方に設けてガイドチャンネル部７ｇ（８ｇ）に係合させた被ガイド部７ｓ（８ｓ）により構成した規制ガイド機構部７（８）を、レンズ鏡筒２に組付けた後であっても、被ガイド部７ｓ（８ｓ）の有する各種の機能に係わる調整（微調整）を容易に行うことができる。これにより、ガタつきを解消できるとともに、本来、マニュアル操作に要求される良好な操作フィーリング及び高い操作精度を確保できるなど、双方の課題を同時に解決することができる。
【００１６】
（２）  基本的な部品は、所定の弾性を有する素材によりＵ形に形成するとともに、ガイドチャンネル部７ｇ（８ｇ）の内壁７ｇｉ，７ｇｊ（８ｇｉ，８ｇｊ）に当接する部位に、当該ガイドチャンネル部７ｇ（８ｇ）の長手方向Ｆｓに所定の幅寸法Ｗｓで接触する当接部７ｓｉ（８ｓｊ）を設けた被ガイド部７ｓ（８ｓ）で足りる。即ち、各規制ガイド機構部７（８）の部品点数は、固定ネジＮ…を除けば一個で足りるとともに、上述した調整（微調整）が可能になることから精密部品の使用も不要となり、ガタ防止手段に係わる構成全体のサイズダウン及びコストダウンを図ることができる。
【００１７】
（３）  好適な態様により、被ガイド部７ｓを、ガイドチャンネル部７ｇに係合する被ガイド本体部７ｓｍ及びこの被ガイド本体部７ｓｍから直角方向となるレンズ鏡筒２の径方向Ｆｄに延出した被ガイド取付部７ｓｖにより構成し、この被ガイド取付部７ｓｖを、固定側枠体３ａ又は可動側枠体６の他方に対して光軸方向Ｆｃから固定ネジＮ…により取付可能にすれば、例えば、組立途中において、レンズ鏡筒２の端面開口から、ドライバ等の工具を差し込むことにより固定ネジＮ…を締緩できるとともに、被ガイド部７ｓに対する調整を行うことができるため、ガタつき排除及び操作フィーリングの度合等を容易に調整できる。
【００１８】
（４）  好適な態様により、被ガイド部８ｓを、ガイドチャンネル部８ｇに係合する被ガイド本体部８ｓｍ及びこの被ガイド本体部８ｓｍから光軸方向Ｆｃに延出した被ガイド取付部８ｓｈにより構成し、この被ガイド取付部８ｓｈを、固定側枠体３ｂ又は可動側枠体６の他方に対して径方向Ｆｄから固定ネジＮ…により取付可能にすれば、レンズ鏡筒２の周面に対して外方からドライバ等の工具により固定ネジＮ…を締緩できるとともに、被ガイド部８ｓに対する調整を行うことができるため、ガタつき排除及び操作フィーリングの度合等を容易に調整できる。
【００１９】
（５）  好適な態様により、レンズ鏡筒２における被ガイド取付部８ｓｈを覆う一又は二以上の枠部材９，１０に、当該被ガイド取付部８ｓｈ及びこの被ガイド取付部８ｓｈを固定する固定ネジＮ…を外側から操作可能な調整用開口部９ｈ，１０ｈを設ければ、被ガイド取付部８ｓｈを覆う枠部材９，１０が存在する場合であっても、当該覆う枠部材９，１０を取外すなどの作業を行うことなく、調整用開口部９ｈ，１０ｈを通して固定ネジＮ…を締緩できるとともに、被ガイド部８ｓに対する調整を行うことができるため、調整に伴う作業を容易かつ確実に行うことができる。
【００２０】
（６）  好適な態様により、回動側枠体４に、マニュアル操作によりフォーカス調整を行うフォーカスリング４ｒを含ませれば、フォーカス調整時のガタつきを解消できると同時に、フォーカス調整時の良好な操作フィーリング及び高い操作精度を確保できる。
【００２１】
（７）  好適な態様により、マニュアル操作レンズ１として、単焦点レンズ１ｓに適用すれば、構成及び操作がシンプルとなる単焦点レンズの機能とマッチングし、単焦点レンズの良さ（メリット）を十分に引き出すことができる。
【図面の簡単な説明】
【００２２】
【図１】本発明の好適実施形態に係るマニュアル操作レンズに備える規制ガイド機構部の側面断面図、
【図２】同マニュアル操作レンズに備える他の形態に係る規制ガイド機構部の平面断面図、
【図３】同マニュアル操作レンズのレンズ鏡筒伸長時の断面図、
【図４】同マニュアル操作レンズのレンズ鏡筒短縮時の断面図、
【図５】同マニュアル操作レンズに用いる被ガイド部の斜視図、
【図６】同マニュアル操作レンズに用いる他の形態に係る被ガイド部の斜視図、
【図７】同マニュアル操作レンズに備える規制ガイド機構部の背面図、
【図８】同マニュアル操作レンズに備える他の形態に係る規制ガイド機構部の調整用開口部を通して見た側面図、
【発明を実施するための形態】
【００２３】
次に、本発明に係る好適実施形態を挙げ、図面に基づき詳細に説明する。
【００２４】
まず、本実施形態に係るマニュアル操作レンズ１の理解を容易にするため、マニュアル操作レンズ１全体の概略構成について、図３及び図４を参照して説明する。
【００２５】
例示は、マニュアル操作レンズ１として単焦点レンズ１ｓを示す。単焦点レンズ１ｓは焦点距離が固定されており、焦点距離が変えられるズーミング機能は備えていない。したがって、レンズ構成は比較的シンプルであり、例示する単焦点レンズ１ｓは、図３に示すように、二つのレンズ群、即ち、前レンズ群Ｌｆと後レンズ群Ｌｒを備えている。
【００２６】
２はレンズ鏡筒を示す。このレンズ鏡筒２は最後部に位置する固定側枠体３ｂを備え、この固定側枠体３ｂの外周面にはヘリコイドネジ部５ｂの一方を構成する雄ネジ部５ｂｍを形成する。また、４は最外郭位置に配した手で回動操作可能なフォーカスリング４ｒを有するユニット構成した回動側枠体である。この回動側枠体４の内周面にはヘリコイドネジ部５ｂの他方を構成する雌ネジ部５ｂｗを形成し、この雌ネジ部５ｂｗを上述した雄ネジ部５ｂｍに螺合させる。これにより、固定側枠体３ｂと回動側枠体４は、ヘリコイドネジ部５ｂを介して同軸上で結合する。
【００２７】
さらに、回動側枠体４の内部には、この回動側枠体４の内径よりも小径となる可動側枠体６を所定の隙間を介して同軸上に配し、この可動側枠体６の前端部は、回動部２１を介して、回動側枠体４の前端部に回動自在に結合する。したがって、可動側枠体６は、回動側枠体４の相対変位に追従してレンズ鏡筒２の光軸方向Ｆｃに相対変位可能となる。可動側枠体６は後レンズ枠２２を兼ねており、この可動側枠体６（後レンズ枠２２）の後端面の開口位置において二枚のレンズ体で構成した前述の後レンズ群Ｌｒを保持する。
【００２８】
一方、回動側枠体４の外周面にはヘリコイドネジ部５ａの一方を構成する雄ネジ部５ａｍを形成する。この場合、回動側枠体４は、最外郭位置にフォーカスリング４ｒを有するため、回動側枠体４の外周面は、フォーカスリング４ｒの内方に位置し、フォーカスリング４ｒにより全体が覆われている。また、２３は前レンズ枠であり、この前レンズ枠２３の内周面において七枚のレンズ体により構成した前述の前レンズ群Ｌｆを保持する。さらに、前レンズ枠２３の外周面の前端付近には、結合枠２４の前端を固定する。なお、結合枠２４とレンズ枠２３間には所定の隙間を介在させる。そして、結合枠２４の内周面には、ヘリコイドネジ部５ａの他方を構成する雌ネジ部５ａｗを形成し、この雌ネジ部５ａｗを上述した雄ネジ部５ａｍに螺合させる。これにより、回動側枠体４と結合枠２４はヘリコイドネジ部５ａを介して同軸上で結合する。
【００２９】
この場合、前レンズ枠２３及び結合枠２４は、固定側枠体３ａを構成する。即ち、回動側枠体４に対して前レンズ枠２３及び結合枠２４を、相対的な位置関係で見た場合、回動側枠体４の回動操作により前レンズ枠２３及び結合枠２４がヘリコイドネジ部５ａにより相対変位する。この際、前レンズ枠２３及び結合枠２４を固定すれば、回動側枠体４が相対変位することになり、回動側枠体４に対して、前レンズ枠２３及び結合枠２４を相対的な位置関係で見た場合、固定側枠体３ａとして見ることができる。
【００３０】
そして、以上の構成における固定側枠体３ａと可動側枠体６間における二つの位置に、固定側枠体３ａと可動側枠体６が光軸方向Ｆｃに相対変位し、かつレンズ鏡筒２の周方向Ｆｆに相対規制される規制ガイド機構部７…を介在させるとともに、前述した固定側枠体３ｂと可動側枠体６間における二つの位置に、固定側枠体３ｂと可動側枠体６が光軸方向Ｆｃに相対変位し、かつレンズ鏡筒２の周方向Ｆｆに相対規制される規制ガイド機構部８…を介在させる。
【００３１】
次に、本実施形態に係るマニュアル操作レンズ１の要部を構成する規制ガイド機構部７…，８…の構成について、図１〜図８を参照して説明する。
【００３２】
まず、一方の規制ガイド機構部７…は、固定側枠体３ａ（可動側枠体６）の径方向Ｆｄにおける１８０〔゜〕対向する上側位置と下側位置の二つの位置にそれぞれ配設する。なお、図３及び図４に示す断面図は、側面から見た片半部の断面図と平面から見た片半部の断面図を組合わせた図であり、規制ガイド機構部７は、上側位置のみが現れている。一つの規制ガイド機構部７（他も同じ）は、図１に示すように、可動側枠体６に設けた光軸方向Ｆｃのガイドチャンネル部７ｇと、固定側枠体３ａに設けてガイドチャンネル部７ｇに係合させる被ガイド部７ｓにより構成する。ガイドチャンネル部７ｇは、図３及び図７に示すように、可動側枠体６の内周面に形成する。この場合、ガイドチャンネル部７ｇは、光軸方向Ｆｃに平行となるように、前端面から後端付近まで直線状に形成するとともに、断面は矩形となる凹溝状に形成する。
【００３３】
また、被ガイド部７ｓは、図１及び図５に示すように、ガイドチャンネル部７ｇに係合する被ガイド本体部７ｓｍと、この被ガイド本体部７ｓｍから直角方向となるレンズ鏡筒２の径方向Ｆｄに延出した被ガイド取付部７ｓｖにより構成する。被ガイド部７ｓは、所定の弾性（バネ性）を有する素材により全体を一体形成する。所定の弾性を有する素材としては、例えば、リン青銅が望ましいが、金属やプラスチック等の各種素材を適用できる。被ガイド部７ｓは、全体の基本形状をＵ形に形成し、両端側に被ガイド取付部７ｓｖを構成する一対の取付半部７ｖｉ，７ｖｊを設ける。各取付半部７ｖｉ，７ｖｊには、固定ネジＮ…を挿通させて固定するためのネジ挿通孔部７ｃｉ，７ｃｊをそれぞれ形成するとともに、特に、取付半部７ｖｉと７ｖｊ間には、所定の間隔Ｗｃを有する調整用クリアランス３１を設ける。なお、ネジ挿通孔部７ｃｉ，７ｃｊの少なくとも一方は、左右方向に長い長孔として形成する。さらに、図１に示すように、被ガイド部７ｓ（被ガイド本体部７ｓｍ）におけるガイドチャンネル部７ｇの内壁７ｇｉ，７ｇｊに当接する部位には、当該ガイドチャンネル部７ｇの長手方向（光軸方向Ｆｃ）に対して、所定の幅寸法Ｗｓの範囲で接触する当接部７ｓｉ，７ｓｊを形成する。この場合、所定の幅寸法Ｗｓには点接触する０（ゼロ）付近も含まれる。
【００３４】
一方、他方の規制ガイド機構部８…は、固定側枠体３ｂ（可動側枠体６）の径方向Ｆｄにおける１８０〔゜〕対向する右側位置と左側位置の二つの位置にそれぞれ配設する。なお、上述したように、図３及び図４に示す断面図は、側面から見た片半部の断面図と平面から見た片半部の断面図を組合わせた図であるため、規制ガイド機構部８は、右側位置のみが現れている。一つの規制ガイド機構部８（他も同じ）は、図２に示すように、固定側枠体３ｂに設けた光軸方向Ｆｃのガイドチャンネル部８ｇと、可動側枠体６に設けてガイドチャンネル部８ｇに係合させた被ガイド部８ｓにより構成する。ガイドチャンネル部８ｇは、図３に示すように、固定側枠体３ｂの内周面に形成する。この場合、ガイドチャンネル部８ｇは、光軸方向Ｆｃに平行となるように、前端面から後端付近まで直線状に形成するとともに、断面は矩形となる凹溝状に形成する。
【００３５】
また、被ガイド部８ｓは、図２及び図６に示すように、ガイドチャンネル部８ｇに係合する被ガイド本体部８ｓｍと、この被ガイド本体部８ｓｍから光軸方向Ｆｃに延出した被ガイド取付部８ｓｈにより構成する。被ガイド部８ｓも基本的には上述した被ガイド部７ｓと同様に構成する。即ち、所定の弾性（バネ性）を有する素材により全体を一体形成する。所定の弾性を有する素材としては、リン青銅が望ましいが、金属やプラスチック等の各種素材を適用できる。被ガイド部８ｓは、全体の基本形状をＵ形に形成し、両端側に被ガイド取付部８ｓｈを構成する一対の取付半部８ｈｉ，８ｈｊを設ける。各取付半部８ｈｉ，８ｈｊには、固定ネジＮ…を挿通させて固定するためのネジ挿通孔部８ｃｉ，８ｃｊをそれぞれ形成するとともに、特に、取付半部８ｈｉと８ｈｊ間には、所定の間隔Ｗｃを有する調整用クリアランス３２を設ける。なお、ネジ挿通孔部８ｃｉ，８ｃｊの少なくとも一方は、左右方向に長い長孔として形成する。さらに、図２に示すように、被ガイド部８ｓ（被ガイド本体部８ｓｍ）におけるガイドチャンネル部８ｇの内壁８ｇｉ，８ｇｊに当接する部位には、当該ガイドチャンネル部８ｇの長手方向Ｆｓ（光軸方向Ｆｃ）に対して、所定の幅寸法Ｗｓの範囲で接触する当接部８ｓｉ，８ｓｊを形成する。この場合、所定の幅寸法Ｗｓには点接触する０（ゼロ）付近も含まれる。
【００３６】
この際、図３及び図８に示すように、レンズ鏡筒２における被ガイド取付部８ｓｈを覆う二つの枠部材９，１０には、当該被ガイド取付部８ｓｈ及びこの被ガイド取付部８ｓｈを固定する固定ネジＮ…を外側から操作可能な調整用開口部９ｈ，１０ｈを設ける。このような調整用開口部９ｈ，１０ｈを設ければ、被ガイド取付部８ｓｈを覆う枠部材９，１０が存在する場合であっても、当該覆う枠部材９，１０を取外すなどの作業を行うことなく、調整用開口部９ｈ，１０ｈを通して固定ネジＮ…を締緩できるとともに、被ガイド部８ｓに対する調整を行うことができるため、調整に伴う作業を容易かつ確実に行える利点がある。なお、例示の場合、フォーカスリング４ｒも固定ネジＮ…を覆う枠部材となるが、フォーカスリング４ｒは、組付時に、取外された状態になっているため、調整用開口部を設ける対象とはしていない。
【００３７】
次に、このような構成を有する本実施形態に係るマニュアル操作レンズ１の組付方法及び規制ガイド機構部７…，８…の機能について、図１〜図８を参照して説明する。
【００３８】
まず、二つの被ガイド部７ｓ，７ｓを用意し、それぞれ前レンズ枠２３における後側の端面２３ｒの上側位置と下側位置に取付ける。この際、固定ネジＮ…をネジ挿通孔部７ｃｉ，７ｃｊに挿通して取付けるため、端面２３ｒの取付位置には、固定ネジＮ…が螺着するネジ孔を形成しておく。被ガイド部７ｓを組付けた状態における規制ガイド機構部７を図１に示す。また、二つの被ガイド部８ｓ，８ｓを用意し、それぞれ可動側枠体６における外周面６ｒの右側位置と左側位置に取付ける。この際、固定ネジＮ…をネジ挿通孔部８ｃｉ，８ｃｊに挿通して取付けるため、外周面６ｒの取付位置には、固定ネジＮ…が螺着するネジ孔を形成しておく。被ガイド部８ｓを組付けた状態における規制ガイド機構部８を図２に示す。
【００３９】
一方、マニュアル操作レンズ１は、通常の組立手順に従って組付けを行うことができる。この際、固定側枠体３ｂの後部一部，後レンズ群Ｌｒ及びフォーカスリング４ｒは、それぞれ組付けしない状態にし、前述した被ガイド取付部７ｓｖ及びこの被ガイド取付部７ｓｖを固定する固定ネジＮ…を、レンズ鏡筒２の後端面開口から操作できるようにするとともに、前述した被ガイド取付部８ｓｖ及びこの被ガイド取付部８ｓｖを固定する固定ネジＮ…を、調整用開口部１０ｈ，９ｈから操作できるようにする。したがって、この状態においては、少なくとも、固定側枠体３ａと回動側枠体４がヘリコイドネジ部５ａを介して同軸上で結合し、かつ回動側枠体４の相対変位に追従してレンズ鏡筒２の光軸方向Ｆｃに相対変位する可動側枠体６を同軸上に配した構成を有し、可動側枠体６に設けたガイドチャンネル部７ｇに、固定側枠体３ａに取付けた被ガイド部７ｓが係合する。また、固定側枠体３ｂと回動側枠体４がヘリコイドネジ部５ｂを介して同軸上で結合し、かつ回動側枠体４の相対変位に追従してレンズ鏡筒２の光軸方向Ｆｃに相対変位する可動側枠体６を同軸上に配する構成を有し、固定側枠体３ｂに設けたガイドチャンネル部８ｇに、可動側枠体６に取付けた被ガイド部８ｓが係合する。
【００４０】
本実施形態に係るマニュアル操作レンズ１は、この状態において、各規制ガイド機構部７…，８…に対する調整を行うことができる。なお、以下の調整手順は一例であり、調整手順は各種手法を用いることができる。
【００４１】
まず、レンズ鏡筒２の後端面開口から内部にドライバ等の工具を挿入し、一方の規制ガイド機構部７…における被ガイド部７ｓ…を固定した固定ネジＮ…を緩める。また、レンズ鏡筒２の調整用開口部１０ｈ，９ｈから内部にドライバ等の工具を挿入し、他方の規制ガイド機構部８…における被ガイド部８ｓ…を固定した固定ネジＮ…を緩める。これにより、各固定ネジＮ…に付加された応力を逃がすとともに、全体の応力バランスを均等化させる。この後、長孔形成したネジ挿通孔部７ｃｊ…，８ｃｊ…以外のネジ挿通孔部７ｃｉ…，８ｃｉ…における固定ネジＮ…を締付けることにより一方の取付半部７ｖｉ…，８ｈｉ…を固定する。そして、この後、長孔形成したネジ挿通孔部７ｃｊ…，８ｃｊ…における固定ネジＮ…を締付けることにより他方の取付半部７ｖｊ…，８ｈｊ…を固定する。
【００４２】
次いで、回動側枠体４を回動操作し、操作フィーリングのチェックを行う。もし、回動操作時に、ガタつきを感じたり或いは操作トルクが小さすぎるような場合には、規制ガイド機構部７…における長孔形成したネジ挿通孔部７ｃｊ…の固定ネジＮ…を緩めた後、レンズ鏡筒２の後端面開口から、例えば、マイナスドライバ等の工具を挿入するとともに、その先端部を、図７に示す取付半部７ｖｉと７ｖｊ間に設けた調整用クリアランス３１に差し込み、その間隔Ｗｃを広げることにより、ガタつきを除去したり、操作トルクを大きくするなどの調整（微調整）を行うことができる。そして、調整が終了したなら、固定ネジＮ…を締め付けて再固定する。これに対して、回動操作時における操作トルクが大きすぎるような場合には、マイナスドライバ等の工具により、取付半部７ｖｉと７ｖｊ間の間隔Ｗｃを狭めるように取付半部７ｖｊを外側から押し、操作トルクを小さくするなどの調整（微調整）を行うことができる。そして、調整が終了したなら、固定ネジＮ…を締め付けて再固定する。
【００４３】
このように、一方の規制ガイド機構部７…は、ガイドチャンネル部７ｇに係合する被ガイド本体部７ｓｍ及びこの被ガイド本体部７ｓｍから直角方向となるレンズ鏡筒２の径方向Ｆｄに延出した被ガイド取付部７ｓｖにより構成した被ガイド部７ｓを備えるため、この被ガイド取付部７ｓｖは、固定側枠体３ａ又は可動側枠体６の他方に対して光軸方向Ｆｃから固定ネジＮ…により取付可能となる。したがって、例示のように、組立途中において、レンズ鏡筒２の端面開口から、ドライバ等の工具を差し込むことにより固定ネジＮ…を締緩可能になるとともに、被ガイド部７ｓに対して調整可能になるため、ガタつき排除及び操作フィーリングの度合等を容易に調整できる。
【００４４】
また、他方の規制ガイド機構部８…においても、図８に示す調整用クリアランス３２を利用して同様の調整を行うことができる。他方の規制ガイド機構部８…は、ガイドチャンネル部８ｇに係合する被ガイド本体部８ｓｍ及びこの被ガイド本体部８ｓｍから光軸方向Ｆｃに延出した被ガイド取付部８ｓｈにより構成した被ガイド部８ｓを備えるため、この被ガイド取付部８ｓｈは、固定側枠体３ｂ又は可動側枠体６の他方に対して径方向Ｆｄから固定ネジＮ…により取付可能となる。したがって、レンズ鏡筒２の周面に対して外方からドライバ等の工具により固定ネジＮ…を締緩可能になるとともに、被ガイド部８ｓに対して調整可能になるため、ガタつき排除及び操作フィーリングの度合等を容易に調整できる。
【００４５】
よって、このような本実施形態に係るマニュアル操作レンズ１によれば、可動側枠体６に設けたガイドチャンネル部７ｇと固定側枠体３ａに設けた被ガイド部７ｓにより構成した規制ガイド機構部７、及び固定側枠体３ｂに設けたガイドチャンネル部８ｇと可動側枠体６に設けた被ガイド部８ｓにより構成した規制ガイド機構部８を、それぞれレンズ鏡筒２に組付けた後であっても、各被ガイド部７ｓ，８ｓの有する各種の機能に係わる調整（微調整）を容易に行うことができる。これにより、ガタつきを解消できるとともに、本来、マニュアル操作に要求される良好な操作フィーリング及び高い操作精度を確保できるなど、双方の課題を同時に解決することができる。
【００４６】
また、基本的な部品は、所定の弾性を有する素材によりＵ形に形成するとともに、ガイドチャンネル部７ｇ，８ｇの内壁７ｇｉ，７ｇｊ，８ｇｉ，８ｇｊに当接する部位に、当該ガイドチャンネル部７ｇ，８ｇの長手方向Ｆｓに所定の幅寸法Ｗｓで接触する当接部７ｓｉ，８ｓｊを設けた被ガイド部７ｓ，８ｓで足りる。即ち、各規制ガイド機構部７，８の部品点数は、固定ネジＮ…を除けば一個で足りるとともに、上述した調整（微調整）が可能になることから精密部品の使用も不要となり、ガタ防止手段に係わる構成全体のサイズダウン及びコストダウンを図ることができる。
【００４７】
特に、マニュアル操作によりフォーカス調整を行うフォーカスリング４ｒを備える回動側枠体４を対象としたため、フォーカス調整時のガタつきを解消できると同時に、フォーカス調整時の良好な操作フィーリング及び高い操作精度を確保できる。しかも、マニュアル操作レンズ１として、単焦点レンズ１ｓを適用したため、構成及び操作がシンプルとなる単焦点レンズの機能とマッチングし、単焦点レンズの良さ（メリット）を十分に引き出すことができる。
【００４８】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。例えば、規制ガイド機構部７…，８…は、それぞれ二つの位置に設けた場合を示したが、それぞれ三つ又は四つ等、基本的には二以上の任意数の位置に設けることができる。また、被ガイド部７ｓ，８ｓをＵ形に形成するとは、正規のＵ形形状のみならず、Ｖ形等の同様の機能を発揮することができる各種の類似形状を含む概念である。
【産業上の利用可能性】
【００４９】
本発明に係るマニュアル操作レンズは、例示した単焦点レンズをはじめ、標準レンズ，ズームレンズ，マクロレンズ等のマニュアルで操作する各種タイプのレンズに利用できるとともに、フィルムカメラ，デジタルカメラ，ビデオカメラ等の各種タイプのカメラに利用できる。
【符号の説明】
【００５０】
１：マニュアル操作レンズ，１ｓ：単焦点レンズ，２：レンズ鏡筒，３ａ（３ｂ）：固定側枠体，４：回動側枠体，５ａ（５ｂ）：ヘリコイドネジ部，６：可動側枠体，７…（８…）：規制ガイド機構部，７ｇ（８ｇ）：ガイドチャンネル部，７ｓ（８ｓ）：被ガイド部，７ｇｉ，７ｇｊ（８ｇｉ，８ｇｊ）：内壁，７ｓｉ，７ｓｊ（８ｓｉ，８ｓｊ）：当接部，７ｓｍ：被ガイド本体部，７ｓｖ：被ガイド取付部，８ｓｍ：被ガイド本体部，８ｓｈ：被ガイド取付部，９，１０：枠部材，９ｈ，１０ｈ：調整用開口部，Ｆｃ：光軸方向，Ｆｆ：周方向，Ｆｄ：径方向，Ｗｓ：所定の幅寸法，Ｎ…：固定ネジ
【図１】
2014089222.tif 000003
【図２】
2014089222.tif 000004
【図３】
2014089222.tif 000005
【図４】
2014089222.tif 000006
【図５】
2014089222.tif 000007
【図６】
2014089222.tif 000008
【図７】
2014089222.tif 000009
【図８】
2014089222.tif 000010